(57)【要約】  【課題】部品の共通化を図りつつ複数種類の液晶セルへ対応する信号をそれぞれ入力することができる液晶表示装置および液晶セルの検査装置を提供する。  【解決手段】信号出力回路と液晶セルとに接続され、信号出力回路からの出力信号を受けて液晶セルへ出力する中継変換基板６を備え、該基板６に、前記出力信号を液晶セルＡに対応するライン数で出力する中継配線パターン８ａと、前記出力信号を液晶セルＡと種類の違う液晶セルＢに対応するライン数で出力する変換配線パターン８ｂと、前記出力信号の流通経路をＦＦＣ５１ａｘ、５２ａｘ、５ａｙ、５１ｂｘ、５２ｂｘ、５ｂｙの嵌合により配線パターン８ａ、８ｂのいずれかに切り替えるコネクタＦＦＣ７１ａｘ、７２ａｘ、７ａｙ、７１ｂｘ、７２ｂｘ、７ｂｙと、前記出力信号の電圧レベルをスイッチＳのＯＮ・ＯＦＦにより液晶セルＡまたは液晶セルＢに対応するレベルに切り替える電圧切替回路９とを設ける。【選択図】  図２
2007072285.tif 000002
【特許請求の範囲】
【請求項１】
信号出力回路から出力された信号を液晶セルに入力して、該液晶セルを動作させて画像を表示する液晶表示装置において、
前記信号出力回路は、第１の液晶セルに対応するライン数でかつ電圧レベルの信号を出力し、
前記信号出力回路と前記液晶セルとに接続され、前記信号出力回路からの出力信号を受けて前記液晶セルへ出力する多層基板からなる中継変換基板を備え、
前記中継変換基板に、
前記出力信号を中継して出力する第１の配線と、
前記出力信号を前記第１の液晶セルとは種類の異なる第２の液晶セルに対応するライン数に変換しつつ中継して出力する第２の配線と、
前記出力信号の流通経路を前記第１の配線または前記第２の配線に切り替える配線切替手段と、
前記出力信号の電圧レベルを前記第１の液晶セルに対応するレベルのままにするかまたは前記第２の液晶セルに対応するレベルに変換するか切り替える電圧切替手段と、を設け、
前記第２の配線、前記配線切替手段、および前記電圧切替手段を前記中継変換基板の表面層に配置し、前記第１の配線を前記中継変換基板の表面層と異なる層に配置したことを特徴とする液晶表示装置。
【請求項２】
信号出力回路から出力された信号を液晶セルに入力して、該液晶セルの動作を検査する液晶セルの検査装置において、
前記信号出力回路は、第１の液晶セルに対応するライン数でかつ電圧レベルの信号を出力し、
前記信号出力回路と前記液晶セルとに接続され、前記信号出力回路からの出力信号を受けて前記液晶セルへ出力する多層基板からなる中継変換基板を備え、
前記中継変換基板に、
前記出力信号を中継して出力する第１の配線と、
前記出力信号を前記第１の液晶セルとは種類の異なる第２の液晶セルに対応するライン数に変換しつつ中継して出力する第２の配線と、
前記出力信号の流通経路を前記第１の配線または前記第２の配線に切り替える配線切替手段と、
前記出力信号の電圧レベルを前記第１の液晶セルに対応するレベルのままにするかまたは前記第２の液晶セルに対応するレベルに変換するか切り替える電圧切替手段と、を設け、
前記第２の配線、前記配線切替手段、および前記電圧切替手段を前記中継変換基板の表面層に配置し、前記第１の配線を前記中継変換基板の表面層と異なる層に配置したことを特徴とする液晶セルの検査装置。
【請求項３】
信号出力回路から出力された信号を液晶セルに入力して、該液晶セルを動作させて画像を表示する液晶表示装置において、
前記信号出力回路と前記液晶セルとに接続され、前記信号出力回路からの出力信号を受けて前記液晶セルへ出力する中継変換部材を備え、
前記中継変換部材に、
前記出力信号を第１の液晶セルに対応するライン数で出力する第１の配線と、
前記出力信号を前記第１の液晶セルとは種類の異なる第２の液晶セルに対応するライン数で出力する第２の配線と、
前記出力信号の流通経路を前記第１の配線または前記第２の配線に切り替える配線切替手段と、
前記出力信号の電圧レベルを前記第１の液晶セルに対応するレベルまたは前記第２の液晶セルに対応するレベルに切り替える電圧切替手段と、を設けたことを特徴とする液晶表示装置。
【請求項４】
請求項３に記載の液晶表示装置において、
前記中継変換部材は、多層基板から構成され、
前記多層基板の異なる層に、前記第１の配線と前記第２の配線とをそれぞれ配置し、前記多層基板の表面層に、前記配線切替手段と前記電圧切替手段とを配置したことを特徴とする液晶表示装置。
【請求項５】
信号出力回路から出力された信号を液晶セルに入力して、該液晶セルの動作を検査する液晶セルの検査装置において、
前記信号出力回路と前記液晶セルとに接続され、前記信号出力回路からの出力信号を受けて前記液晶セルへ出力する中継変換部材を備え、
前記中継変換部材に、
前記出力信号を第１の液晶セルに対応するライン数で出力する第１の配線と、
前記出力信号を前記第１の液晶セルとは種類の異なる第２の液晶セルに対応するライン数で出力する第２の配線と、
前記出力信号の流通経路を前記第１の配線または前記第２の配線に切り替える配線切替手段と、
前記出力信号の電圧レベルを前記第１の液晶セルに対応するレベルまたは前記第２の液晶セルに対応するレベルに切り替える電圧切替手段と、を設けたことを特徴とする液晶セルの検査装置。
【請求項６】
請求項５に記載の液晶セルの検査装置において、
前記中継変換部材は、多層基板から構成され、
前記多層基板の異なる層に、前記第１の配線と前記第２の配線とをそれぞれ配置し、前記多層基板の表面層に、前記配線切替手段と前記電圧切替手段とを配置したことを特徴とする液晶セルの検査装置。
【発明の詳細な説明】
【技術分野】
【０００１】
本発明は、液晶セルを用いた液晶表示装置およびその液晶セルの動作を検査する液晶セルの検査装置に関するものである。
【背景技術】
【０００２】
液晶モジュールやこれを組み込んだ液晶テレビ等の液晶表示装置のメーカには、液晶セル（液晶パネルともいう。）を他社から購入し、自社でその液晶セルにドライバやマイクロコンピュータ等の電子部品を接続する等して装置化しているところがある。この液晶表示装置のメーカでは、コストの削減を図るために、液晶セルの購入先をより安い価格で液晶セルを提供するメーカに切り換えたり、市場への供給数の増大および確保（つまり大量生産）を図るために、複数のメーカから液晶セルを購入したりすることがある。
【０００３】
しかし、一般に液晶セルは製造するメーカ毎等で種類（仕様）が異なり、中でも画像を表示するための信号の入力ライン数や電圧レベル等が異なっている。このため、従来液晶表示装置のメーカで該装置を製造するにあたって複数種類の液晶セルを用いる場合は、各液晶セルに対応するライン数でかつ電圧レベルの信号を出力する信号出力回路を液晶セルの種類別に設計して、該信号出力回路をそれぞれ形成した専用基板を製作しなければならなかった。このように液晶セルの種類別に信号出力回路を形成した専用基板を製作することは、部品を共通化できないため、液晶表示装置のコストダウンを図る上で障害となっていた。また、信号出力回路から出力された信号を液晶セルに入力して液晶セルの動作を確認する検査工程では、液晶セルの種類が変わる度に、該液晶セルに対応した信号を出力する信号出力回路を形成した専用基板を用いなければならず、専用基板の交換等に手間と時間がかかり、作業効率の向上を図る上で障害となっていた。
【０００４】
一方、下記の特許文献１には、信号発生器から出力された信号を、中継基板とプローブで液晶パネルに対応するライン数に分岐して液晶パネルへ入力する液晶パネルの検査装置が開示されている。また、下記の特許文献２には、中継基板の表面に奇数および偶数対応コネクタを実装するとともに、テスタのプローブを接触させる奇数および偶数対応アドレスのランドを形成し、表面と裏面とに上記両コネクタと上記両ランドとをそれぞれ接続する配線パターンを形成し、さらに表面と裏面の配線パターンを接続するスルーホールを設け、液晶パネルに接続したフレキシブル基板を奇数および偶数パターン別に振り分けて、各接続端部を奇数および偶数対応コネクタに接続し、テスタからの出力信号を液晶パネルへ入力する液晶パネルの検査装置が開示されている。また、下記の特許文献３には、液晶パネルのドライバＩＣの出力信号を、連結基板およびケーブルを介してコネクタに接続させて、ジャンパ配線、接続部品、および補強基板で中継し、液晶パネルとの接触子に入力する液晶パネルの検査装置が開示されている。さらに、下記の特許文献４には、３つの入力側コネクタより入力された信号を、２つの出力側コネクタから出力できるように信号のライン数を変える中継基板を備えたリニアモータ用の切り換えユニット（スイッチボックス）が開示されている。
【特許文献１】特開２００２−１０７６８８号公報
【特許文献２】特開２００４−３２５９６２号公報
【特許文献３】特開平５−２３２４１９号公報
【特許文献４】特開２００４−２１５３５９号公報
【発明の開示】
【発明が解決しようとする課題】
【０００５】
しかしながら、特許文献１〜４に開示されているような基板やプローブやコネクタ等では、信号出力回路からの出力信号を、１種類の液晶セルに対応するライン数に変えて該液晶セルへ入力することはできるが、複数種類の液晶セルのそれぞれに対応するライン数および電圧レベルに変えて各液晶セルへ入力することはできない。よって、複数種類の液晶セルを用いる場合は、液晶セルの種類別に、対応する信号を出力する専用の信号出力回路と、対応する配線等を設けた専用の中継基板等とを製作して使用しなければならず、上述したように液晶表示装置のコストダウンおよび液晶セルの検査工程で作業効率の向上を図る上での障害となる。
【０００６】
本発明は、以上の問題点を解決するものであって、その課題とするところは、部品の共通化を図りつつ複数種類の液晶セルへ対応する信号をそれぞれ入力することができる液晶表示装置および液晶セルの検査装置を提供することにある。
【課題を解決するための手段】
【０００７】
本発明では、信号出力回路から出力された信号を液晶セルに入力して、該液晶セルを動作させて画像を表示する液晶表示装置または液晶セルの動作を検査する液晶セルの検査装置において、信号出力回路と液晶セルとに接続され、信号出力回路からの出力信号を受けて液晶セルへ出力する中継変換部材を備え、該中継変換部材に、前記出力信号を第１の液晶セルに対応するライン数で出力する第１の配線と、前記出力信号を第１の液晶セルとは種類の異なる第２の液晶セルに対応するライン数で出力する第２の配線と、前記出力信号の流通経路を第１の配線または第２の配線に切り替える配線切替手段と、前記出力信号の電圧レベルを第１の液晶セルに対応するレベルまたは第２の液晶セルに対応するレベルに切り替える電圧切替手段とを設ける。
【０００８】
このように、信号出力回路からの出力信号を中継変換部材で受けて液晶セルへ出力すると、液晶セルが第１の液晶セルである場合には、配線切替手段により上記出力信号の流通経路を第１の配線にしかつ電圧切替手段により上記出力信号の電圧レベルを第１の液晶セルに対応するレベルにし、液晶セルが第２の液晶セルである場合には、配線切替手段により上記出力信号の流通経路を第２の配線にしかつ電圧切替手段により上記出力信号の電圧レベルを第２の液晶セルに対応するレベルにすることで、上記出力信号を中継変換部材で種類の異なる第１、第２の液晶セルに対応する信号にして各液晶セルに入力することができる。よって、複数種類の液晶セルに対し、信号出力回路および中継変換部材は共通のものを使用することができ、かつ各液晶セルへ対応する信号をそれぞれ入力することができる。この結果、液晶表示装置のメーカにおいて、液晶セルの種類別に信号出力回路および中継変換部材を製作して使用する必要がなくなり、これらの部品を共通化して、当該液晶表示装置および検査装置のコストダウンを一層図ることが可能となり、また液晶セルの検査工程で、液晶セルの種類別に信号出力回路および中継変換部材を交換する必要がなくなり、作業効率の向上を図ることが可能となる。
【０００９】
また、本発明に係る液晶表示装置または液晶セルの検査装置では、中継変換部材は、多層基板から構成され、該多層基板の異なる層に、第１の配線と第２の配線とをそれぞれ配置し、多層基板の表面層に、配線切替手段と電圧切替手段とを配置する。
【００１０】
このように、中継変換部材の多層基板の異なる層に、第１の配線と第２の配線とをそれぞれ配置することで、第１、第２の配線の配置スペースを容易に確保することができ、第１、第２の配線が複雑にならず、該多層基板の小型化を図ることが可能となる。また、多層基板の表面層に、配線切替手段と電圧切替手段とを配置することで、配線切替手段および電圧切替手段を容易に操作することができるとともに、中継変換部材の厚みを薄くして、当該液晶表示装置および検査装置の薄型化を図ることが可能となる。
【００１１】
さらに、本発明の典型的な実施形態では、信号出力回路から出力された信号を液晶セルに入力して、該液晶セルを動作させて画像を表示する液晶表示装置または液晶セルの動作を検査する液晶セルの検査装置において、信号出力回路は、第１の液晶セルに対応するライン数でかつ電圧レベルの信号を出力し、信号出力回路と液晶セルとに接続され、信号出力回路からの出力信号を受けて液晶セルへ出力する多層基板からなる中継変換基板を備え、中継変換基板に、前記出力信号を中継して出力する第１の配線と、前記出力信号を第１の液晶セルとは種類の異なる第２の液晶セルに対応するライン数に変換しつつ中継して出力する第２の配線と、前記出力信号の流通経路を第１の配線または第２の配線に切り替える配線切替手段と、前記出力信号の電圧レベルを第１の液晶セルに対応するレベルのままにするかまたは第２の液晶セルに対応するレベルに変換するか切り替える電圧切替手段とを設け、第２の配線、配線切替手段、および電圧切替手段を中継変換基板の表面層に配置し、第１の配線を中継変換基板の表面層と異なる層に配置する。
【００１２】
このように、信号出力回路から出力される第１の液晶セルに対応するライン数でかつ電圧レベルの信号を、中継変換基板で受けて液晶セルへ出力すると、液晶セルが第１の液晶セルである場合には、配線切替手段により上記出力信号の流通経路を第１の配線にしかつ電圧切替手段により上記出力信号の電圧レベルを第１の液晶セルに対応するレベルのままにし、液晶セルが第２の液晶セルである場合には、配線切替手段により上記出力信号の流通経路を第２の配線にしかつ電圧切替手段により上記出力信号の電圧レベルを第２の液晶セルに対応するレベルに変換することで、上記出力信号を中継変換基板で種類の異なる第１、第２の液晶セルに対応する信号にして各液晶セルに入力することができる。よって、複数種類の液晶セルに対し、信号出力回路および中継変換基板は共通のものを使用することができ、かつ各液晶セルへ対応する信号をそれぞれ入力することができる。この結果、液晶表示装置のメーカにおいて、液晶セルの種類別に信号出力回路および中継変換基板を製作して使用する必要がなくなり、これらの部品を共通化して、当該液晶表示装置および検査装置のコストダウンを一層図ることが可能となり、また液晶セルの検査工程で、液晶セルの種類別に信号出力回路および中継変換基板を交換する必要がなくなり、作業効率の向上を図ることが可能となる。また、中継変換基板の表面層に第２の配線を、表面層とは異なる層に第１の配線をそれぞれ配置することで、第１、第２の配線の配置スペースを容易に確保することができ、第１、第２の配線が複雑にならず、該基板の小型化を図ることが可能となる。さらに、中継変換基板の表面層に配線切替手段および電圧切替手段を配置することで、配線切替手段および電圧切替手段を容易に操作することができるとともに、中継変換基板の部品実装状態での厚みを薄くして、当該液晶表示装置および検査装置の薄型化を図ることが可能となる。
【発明の効果】
【００１３】
本発明によれば、信号出力回路からの出力信号を中継変換部材で受けて液晶セルへ出力するので、液晶セルの種類に応じて、配線切替手段により上記出力信号の流通経路となる配線を切り替え、電圧切替手段により上記出力信号の電圧レベルを切り替えることで、複数種類の液晶セルに対し、信号出力回路および中継変換部材の共通化を図りつつ、各液晶セルへ対応する信号をそれぞれ入力することが可能となる。
【発明を実施するための最良の形態】
【００１４】
図１は、本発明の実施形態に係る液晶表示装置および液晶セルの検査装置の構成を示す図である。本液晶表示装置および液晶セルの検査装置は、液晶表示装置メーカで製造および使用（液晶表示装置は一般ユーザで使用）されるものである。
【００１５】
液晶セルＡ、Ｂは、直下ライト式のバックライトを光源にしてカラー映像を表示する液晶テレビ等用の液晶セルである。液晶セルＡと液晶セルＢとは、それぞれ異なる液晶セルメーカで製造されたため、種類（仕様）が異なり、中でも各液晶セルＡ、Ｂのガラス基板上に形成された回路や配線パターンの違いにより、画像を表示するために入力する信号の入力ライン数や電圧レベル等が異なっている。液晶セルＡは、本発明における第１の液晶セルの一実施形態を構成し、液晶セルＢは、本発明における第２の液晶セルの一実施形態を構成する。
【００１６】
各液晶セルＡ、Ｂのガラス基板上の右端部と下端部には、ＣＯＦ（Chip On Film）１ａｘ、１ａｙ、１ｂａ、１ｂｙの一端がＡＣＦ（Anisotropic Conductive Film）により接着されている。各ＣＯＦ１ａｘ、１ａｙ、１ｂｘ、１ｂｙ上には、液晶セルＡ、Ｂを駆動するＩＣであるソースドライバ２ａｘ、２ｂｘやゲートドライバ２ａｙ、２ｂｙがＡＣＦにより接着されていて、各ＣＯＦ１ａｘ、１ａｙ、１ｂｘ、１ｂｙの他端は、ソース用中継基板３ａｘ、３ｂｘやゲート用中継基板３ａｙ、３ｂｙ上にはんだ付けにより接続されている。
【００１７】
ソース用中継基板３ａｘ、３ｂｘ上には、コネクタ４１ａｘ、４２ａｘ、４１ｂｘ、４２ｂｘがそれぞれはんだ付けにより実装されているとともに、該コネクタ４１ａｘ、４２ａｘ、４１ｂｘ、４２ｂｘより入力される信号をＣＯＦ１ａｘ、１ｂｘに中継する配線パターンが形成されている。ＣＯＦ１ａｘ、１ｂｘ上には、ソース用中継基板３ａｘ、３ｂｘから入力される信号をソースドライバ２ａｘ、２ｂｘへ中継する配線パターンと、該入力信号に基づいてソースドライバ２ａｘ、２ｂｘが出力するデータ信号（Ｘ信号）を液晶セルＡ、Ｂのガラス基板上に設けられたＴＦＴ（Thin Film Transistor）のソースに供給する配線パターンとが形成されている。ゲート用中継基板３ａｙ、３ｂｙ上には、コネクタ４ａｙ、４ｂｙがそれぞれはんだ付けにより実装されているとともに、該コネクタ４ａｙ、４ｂｙより入力される信号をＣＯＦ１ａｙ、１ｂｙに中継する配線パターンが形成されている。ＣＯＦ１ａｙ、１ｂｙ上には、ゲート用中継基板３ａｙ、３ｂｙから入力される信号をゲートドライバ２ａｙ、２ｂｙへ中継する配線パターンと、該入力信号に基づいてゲートドライバ２ａｙ、２ｂｙが出力するアドレス信号（Ｙ信号、順次走査信号とも言う）を液晶セルＡ、Ｂのガラス基板上に設けられたＴＦＴのゲートに供給する配線パターンとが形成されている。
【００１８】
中継変換基板６は多層基板であって、上面に設けられた表面層６ｆにコネクタ７１ａｘ、７２ａｘ、７１ｂｘ、７２ｂｘ、７ａｙ、７ｂｙ、１０ｍ、１０ｎがそれぞれ実装されている。ＦＦＣ（Flexible Flat Cable）５１ａｘ、５２ａｘ、５ａｙの一端をコネクタ４１ａｘ、４２ａｘ、４ａｙにそれぞれ嵌合し、他端をコネクタ７１ａｘ、７２ａｘ、７ａｙにそれぞれ嵌合することで、中継変換基板６と液晶セルＡとは電気的に接続される。一方、ＦＦＣ５１ｂｘ、５２ｂｘ、５ｂｙの一端をコネクタ４１ｂｘ、４２ｂｘ、４ｂｙにそれぞれ嵌合し、他端をコネクタ７１ｂｘ、７２ｂｘ、７ｂｙにそれぞれ嵌合することで、中継変換基板６と液晶セルＢとは電気的に接続される。各ＦＦＣ５１ａｘ、５２ａｘ、５ａｙ、５１ｂｘ、５２ｂｘ、５ｂｙには、嵌合されるコネクタ７１ａｘ、７２ａｘ、７ａｙ、７１ｂｘ、７２ｂｘ、７ｂｙより入力されるデータ信号やアドレス信号をコネクタ４１ａｘ、４２ａｘ、４ａｙ、４１ｂｘ、４２ｂｘ、４ｂｙに中継する配線パターンが形成されている。
【００１９】
信号出力基板１１上には、コネクタ１２ｍ、１２ｎが実装されているとともに、外部機器から入力される映像信号を処理して、液晶セルＡに対応したライン数でかつ電圧レベルの信号（液晶セルＡを動作させて画像を表示可能なデータ信号やアドレス信号）を出力する信号出力回路１４が形成されている。液晶表示装置メーカでの液晶セルＡ、Ｂの検査工程では、パーソナルコンピュータ等の外部機器から信号出力回路１４へテスト用の映像信号が入力される。また、液晶表示装置化された後のユーザ使用時では、チューナやビデオ等の外部機器から信号出力回路１４へテレビジョン放送等に基づく映像信号が入力される。
【００２０】
中継変換基板６と信号出力基板１１の間に示すＦＦＣ１３ｍ、１３ｎの一端をコネクタ１０ｍ、１０ｎにそれぞれ嵌合し、他端をコネクタ１２ｍ、１２ｎにそれぞれ嵌合することで、中継変換基板６と信号出力基板１１とは電気的に接続される。中継変換基板６は、上述したように液晶セルＡ、Ｂのいずれかと接続され、かつ信号出力基板１１と接続された状態で、信号出力回路１４からの出力信号を受けて該液晶セルＡ、Ｂへ出力する。中継変換基板６は、本発明における中継変換基板および中継変換部材の一実施形態を構成する。信号出力回路１４は、本発明における信号出力回路の一実施形態を構成する。
【００２１】
図２は、中継変換基板６を図１の右側方から見た図である。中継変換基板６中に破線で示す６ｈは、該基板６の表面層６ｆと裏面層６ｕとこれらの間にあるその他の中間層を電気的に接続するスルーホールである。中継変換基板６の裏面層６ｕには、信号出力基板１１の信号出力回路１４からコネクタ１２ｍ、１２ｎ、ＦＦＣ１３ｍ、１３ｎ、コネクタ１０ｍ、１０ｎ、およびスルーホール６ｈを順次通して入力される液晶セルＡに対応する信号を、コネクタ７１ａｘ、７２ａｘ、７ａｙへ中継して出力する中継配線パターン８ａが形成されている。中継配線パターン８ａの詳細は後述する（図３）。中継変換基板６の表面層６ｆには、信号出力回路１４からコネクタ１２ｍ、１２ｎ、ＦＦＣ１３ｍ、１３ｎ、およびコネクタ１０ｍ、１０ｎを順次通して入力される液晶セルＡに対応する信号を、液晶セルＢに対応するライン数に変換しつつコネクタ７１ｂｘ、７２ｂｘ、７ｂｙへ中継して出力する変換配線パターン８ｂが形成されている。変換配線パターン８ｂの詳細は後述する（図４）。中継配線パターン８ａは、本発明における第１の配線の一実施形態を構成し、変換配線パターン８ｂは、本発明における第２の配線の一実施形態を構成する。
【００２２】
信号出力回路１４からの出力信号の中継変換基板６における流通経路を、裏面層６ｕの中継配線パターン８ａにするか、または表面層６ｆの変換配線パターン８ｂにするかは、コネクタ４１ａｘ、４２ａｘ、４ａｙ等を介して液晶セルＡに接続されたＦＦＣ５１ａｘ、５２ａｘ、５ａｙを中継変換基板６のコネクタ７１ａｘ、７２ａｘ、７ａｙに嵌合するか、またはコネクタ４１ｂｘ、４２ｂｘ、４ｂｙ等を介して液晶セルＢに接続されたＦＦＣ５１ｂｘ、５２ｂｘ、５ｂｙを中継変換基板６のコネクタ７１ｂｘ、７２ｂｘ、７ｂｙに嵌合するかによって切り替えることができる。コネクタ７１ａｘ、７２ａｘ、７ａｙ、７１ｂｘ、７２ｂｘ、７ｂｙは、本発明における配線切替手段の一実施形態を構成する。
【００２３】
表面層６ｆの変換配線パターン８ｂの途中には、後述するように信号出力回路１４から入力される信号の電圧レベルを液晶セルＡに対応するレベルのままにするか、または液晶セルＢに対応するレベルに変換するかを切り替える電圧切替回路９が形成されている。電圧切替回路９の詳細は後述する（図５）。電圧切替回路９は、本発明における電圧切替手段の一実施形態を構成する。
【００２４】
図３は、中継変換基板６の裏面層６ｕの中継配線パターン８ａを簡略化して示す図である。各コネクタ１０ｍ、１０ｎ、７１ａｘ、７２ａｘ、７ａｙのグランド極ＧＮＤは、中継変換基板６上のグランドに接続されている。信号出力基板１１の信号出力回路１４からコネクタ１０ｍへ入力される信号、例えば極性反転信号ＰＯＬ、ドライバ２ａｘの駆動電圧ＶＤＤＤ（＋３．３Ｖ）、液晶セルＡの奇数番目のＴＦＴへ入力する赤色信号ＯＲ、緑色信号ＯＧ、青色信号ＯＢ、および偶数番目のＴＦＴへ入力する赤色信号ＥＲ等は、全てストレートにコネクタ７１ａｘへ中継されている。
【００２５】
信号出力回路１４からコネクタ１０ｎへ入力される信号は、ストレートにコネクタ７２ａｘとコネクタ７ａｙとへ分かれて中継されている。例えば、液晶セルＡの偶数番目のＴＦＴへ入力する緑色信号ＥＧ、青色信号ＥＢ、液晶セルＡのＴＦＴのソースへの入力電圧ＶＤＤＡ（＋１０．８Ｖ）、および階調電圧ＶＲＥＦ等は、コネクタ７２ａｘへ中継されている。また、ドライバ２ａｙの駆動電圧ＶＤＤＤ（＋３．３Ｖ）、および液晶セルＡのＴＦＴのゲートへ入力するＯＦＦ信号ＶＥＥＧ（−６Ｖ）、ＯＮ信号ＶＤＤＧ（＋２５Ｖ）等は、コネクタ７ａｙへ中継されている。
【００２６】
つまり上記より、信号出力回路１４からコネクタ１０ｍ、１０ｎへ入力される液晶セルＡに対応したライン数でかつ電圧レベルの信号は、中継配線パターン８ａによって変換されることなく、そのままコネクタ７１ａｘ、７２ａｘ、７ａｙへ入力される。
【００２７】
図４は、中継変換基板６の表面層６ｆの変換配線パターン８ｂを簡略化して示す図である。各コネクタ１０ｍ、１０ｎ、７１ｂｘ、７２ｂｘ、７ｂｙのグランド極ＧＮＤは、中継変換基板６上のグランドに接続されている。また、コネクタ
７１ｂｘ、７２ｂｘの色信号極ＯＥ、ＯＧ、ＯＢ、ＥＲ、ＥＧ、ＥＢの一部等も、中継変換基板６上のグランドに接続されている。信号出力回路１４からコネクタ１０ｍへ入力される信号は、コネクタ７１ｂｘとコネクタ７２ｂｘとへ分かれて中継されている。例えば、極性反転信号ＰＯＬ、ドライバ２ａｘの駆動電圧ＶＤＤＤ（＋３．３Ｖ）、および液晶セルＡの奇数番目のＴＦＴへ入力する赤色信号ＯＲ、緑色信号ＯＧ、青色信号ＯＢ等は、コネクタ７１ｂｘへ中継されている。また、液晶セルＡの偶数番目のＴＦＴへ入力する赤色信号ＥＲは、コネクタ７２ｂｘへ中継されている。
【００２８】
信号出力回路１４からコネクタ１０ｎへ入力される信号は、コネクタ７２ｂｘとコネクタ７ｂｙとへ分かれて中継されている。例えば、液晶セルＡの偶数番目のＴＦＴへ入力する緑色信号ＥＧ、青色信号ＥＢ、液晶セルＡのＴＦＴのソースへの入力電圧ＶＤＤＡ（＋１０．８Ｖ）、および階調電圧ＶＲＥＦ等は、コネクタ７２ｂｘへ中継されている。そのうち、入力電圧ＶＤＤＡ（＋１０．８Ｖ）は、変換配線パターン８ｂ中の電圧切替回路９によって、後述するように液晶セルＢに対応した電圧レベル（＋１３Ｖ）に変換された後、３つのラインに分岐されてコネクタ７２ｂｘの対応する極へ入力されている。
【００２９】
また、ドライバ２ａｙの駆動電圧ＶＤＤＤ（＋３．３Ｖ）、および液晶セルＡのＴＦＴのゲートへ入力するＯＦＦ信号ＶＥＥＧ（−６Ｖ）、ＯＮ信号ＶＤＤＧ（＋２５Ｖ）等は、それぞれ複数ラインに分岐されてコネクタ７ｂｙの対応する極へ中継されている。そのうち、ＯＮ信号ＶＤＤＧ（＋２５Ｖ）は、変換配線パターン８ｂ中に設けられた電圧低下回路１５によって液晶セルＢに対応した電圧レベル（＋２４Ｖ）に変換された後、２つのラインに分岐されてコネクタ７ｂｙの対応する極へ入力されている。電圧低下回路１５は、該回路１５が設けられたコネクタ１０ｎのＶＤＤＧ極とコネクタ７ｂｙのＶＤＤＧ極とをつなぐ配線パターンにかかる電圧のレベルを＋２５Ｖから＋２４Ｖへ低下させることが可能な、抵抗等で構成された単純な回路である（詳細図示省略）。
【００３０】
つまり上記より、信号出力回路１４からコネクタ１０ｍ、１０ｎへ入力される液晶セルＡに対応したライン数でかつ電圧レベルの信号は、変換配線パターン８ｂによって液晶セルＢに対応したライン数でかつ電圧レベルの信号に変換されて、コネクタ７１ｂｘ、７２ｂｘ、７ｂｙへ入力される。
【００３１】
図５は、変換配線パターン８ｂ中の電圧切替回路９の詳細を示す図である。電圧切替回路９は、コネクタ１０ｎ、７２ｂｘ側が１本でかつ途中で２本に分岐する配線パターンと、該配線パターンの途中に設けられた所定の大きさの抵抗Ｒ１、Ｒ２と、スイッチＳとから構成されている。スイッチＳは、図２に示すように中継変換基板６にはんだ付けにより実装されて立設された２本のピン端子Ｐ１、Ｐ２からなる接点Ｃ１、Ｃ２と、ピン端子Ｐ１、Ｐ２に架かるように取り付けまたは取り外されて接点Ｃ１、Ｃ２を電気的に接続または開放するジャンパ端子Ｊとから構成されている。
【００３２】
図５（ａ）に示すようにスイッチＳのジャンパ端子Ｊをピン端子Ｐ１、Ｐ２から取り外して、接点Ｃ１、Ｃ２を開放しているとき（スイッチＳがＯＦＦ状態）は、コネクタ１０ｎ側から所定の電流値の信号が流れて来ると、該信号は矢印で示すように抵抗Ｒ１と抵抗Ｒ２とを通ってコネクタ７２ｂｘ側へ流れて行く。このとき、電圧切替回路９での合成抵抗は抵抗Ｒ１、Ｒ２の和であり（合成抵抗＝Ｒ１＋Ｒ２）、コネクタ７２ｂｘ側へ流れる信号の電圧レベルは液晶セルＡに対応する＋１０．８Ｖとなる。
【００３３】
また、図５（ｂ）に示すようにジャンパ端子Ｊをピン端子Ｐ１、Ｐ２に取り付けて、接点Ｃ１、Ｃ２を接続しているとき（スイッチＳがＯＮ状態）は、コネクタ１０ｎ側から所定の電流値の信号が流れて来ると、該信号は矢印で示すように抵抗Ｒ１を通った後に分岐して、抵抗Ｒ２を通るとともに接点Ｃ１からジャンパ端子Ｊを介して接点Ｃ２を通り、再び合流してコネクタ７２ｂｘ側へ流れて行く。このとき、電圧切替回路９での合成抵抗は、抵抗Ｒ２とスイッチＳの内部抵抗との和分の積と、抵抗Ｒ１との和であり（スイッチＳの内部抵抗をＲｓとすると、合成抵抗＝（Ｒ２×Ｒｓ）／（Ｒ２＋Ｒｓ）＋Ｒ１）、コネクタ７２ｂｘ側へ流れる信号の電圧レベルは液晶セルＢに対応する＋１３Ｖとなる。
【００３４】
つまり、ピン端子Ｐ１、Ｐ２へのジャンパ端子Ｊの着脱によりスイッチＳをＯＮまたはＯＦＦ状態にすることで、コネクタ７２ｂｘ側へ流れる信号の電圧レベルが液晶セルＡに対応するレベルまたは液晶セルＢに対応するレベルになる。
【００３５】
上述の各部を製造メーカでの液晶セルＡ、Ｂの動作確認検査のために上述のように組み立てることで、液晶セルＡまたは液晶セルＢの検査装置となる。その際、液晶セルＡを検査する場合は、図１に示した中継基板３ａｘ、３ａｙ上のコネクタ４１ａｘ、４２ａｘ、４ａｙと中継変換基板６上のコネクタ７１ａｘ、７２ａｘ、７ａｙとに、ＦＦＣ５１ａｘ、５２ａｘ、５ａｙをそれぞれ嵌合して、液晶セルＡと中継変換基板６とを接続し、かつ図５に示した中継変換基板６上のスイッチＳをＯＦＦ状態にすれば、信号出力基板１１の信号出力回路１４から中継変換基板６を介して液晶セルＡへ対応したライン数でかつ電圧レベルの信号が入力され、液晶セルＡが該信号に基づいて動作して検査可能となる。また、液晶セルＢを検査する場合は、中継基板３ｂｘ、３ｂｙ上のコネクタ４１ｂｘ、４２ｂｘ、４ｂｙと中継変換基板６上のコネクタ７１ｂｘ、７２ｂｘ、７ｂｙとに、ＦＦＣ５１ｂｘ、５２ｂｘ、５ｂｙをそれぞれ嵌合して、液晶セルＢと中継変換基板６とを接続し、かつ中継変換基板６上のスイッチＳをＯＮ状態にすれば、信号出力回路１４から中継変換基板６を介して液晶セルＢへ対応したライン数でかつ電圧レベルの信号が入力され、液晶セルＢが該信号に基づいて動作して検査可能となる。
【００３６】
一方、上述の各部を液晶表示装置の生産のために上述のように組み立てることで、液晶セルＡまたは液晶セルＢを使用した液晶モジュールのような液晶表示装置（中間製品）となり、さらにそれにフレーム等の他の部品を取り付けることで、液晶テレビのような液晶表示装置（最終製品）となる。その際、液晶セルＡを使用する場合は、上記のようにコネクタ４１ａｘ、４２ａｘ、４ａｙとコネクタ７１ａｘ、７２ａｘ、７ａｙとにＦＦＣ５１ａｘ、５２ａｘ、５ａｙをそれぞれ嵌合して、液晶セルＡと中継変換基板６とを接続し、かつスイッチＳをＯＦＦ状態にすれば、信号出力回路１４から中継変換基板６を介して液晶セルＡへ対応した信号が入力され、液晶セルＡが該信号に基づいて動作して画像を表示可能となる。また、液晶セルＢを使用する場合は、上記のようにコネクタ４１ｂｘ、４２ｂｘ、４ｂｙとコネクタ７１ｂｘ、７２ｂｘ、７ｂｙとにＦＦＣ５１ｂｘ、５２ｂｘ、５ｂｙをそれぞれ嵌合して、液晶セルＢと中継変換基板６とを接続し、かつスイッチＳをＯＮ状態にすれば、信号出力回路１４から中継変換基板６を介して液晶セルＢへ対応した信号が入力され、液晶セルＢが該信号に基づいて動作して画像を表示可能となる。
【００３７】
以上のように、信号出力回路１４から出力される液晶セルＡに対応するライン数でかつ電圧レベルの信号を、中継変換基板６で受けて液晶セルＡ、Ｂへ出力する際に、液晶セルＡ、Ｂの種類に応じて、中継変換基板６上のコネクタ７１ａｘ、７２ａｘ、７ａｙ、７１ｂｘ、７２ｂｘ、７ｂｙとＦＦＣ５１ａｘ、５２ａｘ、５ａｙ、５１ｂｘ、５２ｂｘ、５ｂｙとを嵌合して、上記出力信号の流通経路を中継変換基板６の中継配線パターン８ａまたは変換配線パターン８ｂに切り替え、かつ中継変換基板６上の電圧切替回路９のスイッチＳをＯＦＦまたはＯＮ状態にして、上記出力信号の電圧レベルを液晶セルＡに対応するレベルのままにするかまたは液晶セルＢに対応するレベルに変換するか切り替えることで、上記出力信号を中継変換基板６で液晶セルＡまたは液晶セルＢに対応する信号にして各液晶セルＡ、Ｂに入力することができる。よって、複数種類の液晶セルＡ、Ｂに対し、信号出力回路１４および中継変換基板６は共通のものを使用することができ、かつ各液晶セルＡ、Ｂへ対応する信号をそれぞれ入力することができる。
【００３８】
その結果、液晶表示装置メーカにおいて、液晶セルＡ、Ｂの種類別に信号出力回路１４および中継変換基板６を製作して使用する必要がなくなり、これらの部品を共通化して、液晶表示装置および液晶セルの検査装置のコストダウンを一層図ることが可能となる。また、液晶セルＡ、Ｂの検査工程で、液晶セルＡ、Ｂの種類別に信号出力回路１４および中継変換基板６を交換する必要がなくなり、作業効率の向上を図ることが可能となる。
【００３９】
また、中継変換基板６の表面層６ｆに変換配線パターン８ｂを、表面層６ｆとは異なる裏面層６ｕに中継配線パターン８ａをそれぞれ配置することで、これら配線パターン８ａ、８ｂの配置スペースを容易に確保することができ、これら配線パターン８ａ、８ｂが複雑にならず、中継変換基板６の小型化を図ることが可能となる。
【００４０】
さらに、中継変換基板６の表面層６ｆにコネクタ７１ａｘ、７２ａｘ、７ａｙ、７１ｂｘ、７２ｂｘ、７ｂｙ、１０ｍ、１０ｎおよび電圧切替回路９のスイッチＳを配置することで、コネクタ７１ａｘ、７２ａｘ、７ａｙ、７１ｂｘ、７２ｂｘ、７ｂｙ、１０ｍ、１０ｎへのＦＦＣ５１ａｘ、５２ａｘ、５ａｙ、５１ｂｘ、５２ｂｘ、５ｂｙ、１３ｍ、１３ｎの嵌合操作およびスイッチＳのジャンパ端子Ｊの着脱操作を容易に行うことができるとともに、中継変換基板６の部品実装状態での厚みを薄くして、液晶表示装置および液晶セルＡ、Ｂの検査装置の薄型化を図ることが可能となる。
【００４１】
本発明は、以上述べた実施形態以外にも種々の形態を採用することができる。例えば、以上の実施形態では、電圧変換回路９中にピン端子Ｐ１、Ｐ２とジャンパ端子ＪとからなるスイッチＳを設けた場合を例に挙げているが、本発明はこれのみに限定するものではない。これに代えて、例えば半導体スイッチやタクトスイッチ等を設けるようにしてもよい。また、例えば中継配線パターン８ａに信号の電圧レベルを液晶セルＡに対応したレベルにする回路を設け、変換配線パターン８ｂに信号の電圧レベルを液晶セルＢに対応したレベルにする回路を設けるというように、配線パターン８ａ、８ｂ別に電圧レベルを変える回路を設けるようにしてもよい。この場合、スイッチＳのような部品は不要となり、中継変換基板６上のコネクタ７１ａｘ、７２ａｘ、７ａｙ、７１ｂｘ、７２ｂｘ、７ｂｙが配線切替手段兼電圧切替手段となる。然るに、上述の実施形態のように中継変換基板６の表面層６ｆに手で操作しかつ該操作状態が目視できるスイッチＳを設けておくと、検査や組立を行う作業者がジャンパ端子Ｊの有無より電圧レベルの切り替え状態を一目で認識でき、コネクタ７１ａｘ、７２ａｘ、７ａｙ、７１ｂｘ、７２ｂｘ、７ｂｙへのＦＦＣ５１ａｘ、５２ａｘ、５ａｙ、５１ｂｘ、５２ｂｘ、５ｂｙの誤嵌合を防止することが可能となる。つまり、本発明の電圧切替手段としては、信号出力回路から入力された信号の電圧レベルを所定のレベルに切り替え可能な手段であればよい。
【００４２】
また、以上の実施形態では、変換配線パターン８ｂと中継配線パターン８ａとを中継変換基板６の表面層６ｆと裏面層６ｕとにそれぞれ設けた場合を例に挙げているが、本発明はこれのみに限定するものではない。これ以外に、例えば配線パターン８ａ、８ｂのいずれか一方を中継変換基板６の表面層６ｆに設け、他方を中継変換基板６の表面層６ｆおよび裏面層６ｕ以外の中間層に設けるようにしてもよい。つまり、中継変換基板の異なる層に、種類の異なる液晶セルに対応した配線をそれぞれ設けるようにすればよい。
【００４３】
また、以上の実施形態では、使用および検査する液晶セルが２種類である場合を例に挙げているが、本発明は使用および検査する液晶セルが３種類以上である場合にも適用することが可能である。
【００４４】
さらに、以上の実施形態では、液晶テレビ用の液晶セルを使用した液晶表示装置および該液晶セルの検査装置に、本発明を適用した場合を例に挙げているが、本発明はこれ以外にも、例えばデジタルカメラやプリンタ用等の小型の液晶セルを使用した液晶表示装置および該液晶セルの検査装置に適用することが可能である。
【図面の簡単な説明】
【００４５】
【図１】本発明の実施形態に係る液晶表示装置および液晶セルの検査装置の構成を示す図である。
【図２】中継変換基板を図１の右側方から見た図である。
【図３】中継変換基板の中継配線パターンを示す図である。
【図４】中継変換基板の変換配線パターンを示す図である。
【図５】変換配線パターン中の電圧切替回路を示す図である。
【符号の説明】
【００４６】
６  中継変換基板
６ｆ  表面層
６ｕ  裏面層
７１ａｘ、７２ａｘ、７ａｙ、７１ｂｘ、７２ｂｘ、７ｂｙ  コネクタ
８ａ  中継配線パターン
８ｂ  変換配線パターン
９  電圧切替回路
Ｓ  スイッチ
１４  信号出力回路
Ａ、Ｂ  液晶セル
【図１】
2007072285.tif 000003
【図２】
2007072285.tif 000004
【図３】
2007072285.tif 000005
【図４】
2007072285.tif 000006
【図５】
2007072285.tif 000007